(57)【要約】      （修正有）【課題】軽くて便利で省力という実用性を兼ねた上、テーブル天板を確実に支持して使用でき、利便性が大幅に向上する折り畳みテーブル構造を提供する。【解決手段】折り畳みテーブル構造は、 テーブル天板１０と、二つの折り畳みフレーム２０と、二つの支持ユニット３０とを含む。使用後はテーブル天板を向かい合わせて折って収納でき、体積を大幅に減少できて持ち出すのに便利である。テーブルは二つの折り畳みフレームによって二つの支持ユニットが合わせて取り付けられる。二つの支持ユニットは第一、第二脚３１、３２によって弾性がある山形体構造に組み立てられ、テーブル天板が展開して使用される時、二つの支持ユニットはすぐに弾け、各折り畳みフレームに制限されて位置決めされる。【選択図】図２
0003221153.tif 000002
【実用新案登録請求の範囲】
【請求項１】
テーブル天板と、二つの折り畳みフレームと、二つの支持ユニットとを含む折り畳みテーブル構造であって、
上記テーブル天板は二つの互いに対称する長方形板体より構成され、
上記二つの折り畳みフレームは二つの長方形板体を跨いで上記テーブル天板の底面に設けられ、二つの折り畳みフレームは折り畳むことができてそれぞれ第一鉄片と第二鉄片があり、上記第一鉄片の一側辺はＬ型の内折側板が設けられ、上記内折側板の垂直面に位置限定長溝が設けられ、上記内折側板に面する対角の頂端にＬ型の内当て板が設けられ、上記内当て板に位置限定短溝が設けられて上記位置限定長溝に面し、上記第二鉄片の一側辺にＬ型の外折側板が設けられ、上記外折側板は上記内折側板が同じ側にあり、また上記外折側板の垂直面にも位置限定長溝が設けられ、
二つの支持ユニットはそれぞれ二つの折り畳みフレームの第一、第二鉄片の間に設けられ、またそれぞれ第一脚と第二脚があり、上記第一、第二脚はすべて金属棒体を曲げてＵ型形状に形成され、また交差して枢接されて弾性がある山型体に構成され、各支持ユニットの頂端は上記内当て板の位置限定短溝を通して位置限定され、上記第一、第二脚はそれぞれ上記内折側板と上記外折側板の位置限定長溝に沿ってスライドして位置移動されることで、二つの支持ユニットは上記折り畳みフレームが折り畳まれることによって圧縮して収納されるため、上記テーブル天板の収納状態を果たし、上記テーブル天板が展開される時、二つの支持ユニットは弾性圧縮によって弾けて、上記折り畳みテーブルが地面について使用されることを特徴とする折り畳みテーブル構造。
【請求項２】
上記テーブル天板の二つの長方形板体の表面の外側はそれぞれ突起状の位置限定制限辺が設けられ、二つの長方形板体の底面はそれぞれ内側、外側に互いに相応する凸リブが設けられ、また各長方形板体の二つの凸リブが側辺に面してそれぞれ位置限定滑り溝が設けられ、上記折り畳みフレームの第一、第二鉄片が位置限定して設けられることを特徴とする請求項１の折り畳みテーブル構造。
【請求項３】
上記二つの折り畳みフレームの第一、第二鉄片はそれぞれ略直角三角形を呈し、また直角端の隅によって互いに枢接されて回転軸部に形成され、上記第一鉄片は上記の直角端の水平辺に上記内折側板が設けられ、また上記第二鉄片は上記の直角端の水平辺に上記外折側板が設けられ、上記第一、第二鉄片の水平辺の遠い端にそれぞれ位置限定滑り辺が垂直に延伸して設けられることを特徴とする請求項１の折り畳みテーブル構造。
【請求項４】
上記第一鉄片の内当て板の頂端は上記長方形板体を底面内側の凸リブに当て、また上記内当て板は頂端よりもう一端に向かって斜め誘導辺が形成され、上記第一鉄片の頂端が上記内当て板の近くに位置限定板が設けられることを特徴とする請求項２の折り畳みテーブル構造。
【請求項５】
上記第一、第二鉄片はさらにリベットを利用して上記テーブル天板の二つの長方形板体に鋲打ちして固定されることを特徴とする請求項１の折り畳みテーブル構造。
【請求項６】
上記第一、第二脚はＵ型形状に呈してそれぞれ第一立て棒と第二立て棒があり、上記第一、第二立て棒は同じ長さでもなく、同じ平面に位置するわけでもなく、そして、上記第一脚の第一立て棒は第二脚の第二立て棒と同じ長さであり、上記第一脚の第二立て棒は第二脚の第一立て棒と同じ長さであり、また上記の第一立て棒は第二立て棒に向かって組み合わせ接続棒が延伸され、第二立て棒は第一立て棒に向かって組み合わせスリーブが延伸されることで、上記第一脚の第一立て棒は組み合わせ連接棒によって上記第二脚にある第二立て棒の組み合わせスリーブに嵌めて設けられ、さらに上記第二脚の第一立て棒は組み合わせ接続棒によって上記第一脚にある第二立て棒の組み合わせスリーブに嵌めて設けられ、常態において山形の支持ユニットが形成され、内へ圧縮すると外へ弾ける変型弾性があることを特徴とする請求項１の折り畳みテーブル構造。
【考案の詳細な説明】
【技術分野】
【０００１】
本考案はテーブルの構造に関し、特に折り畳みテーブル構造に関する。
【背景技術】
【０００２】
レジャーテーブルは家でくつろぐ時や休暇を利用してアウトドアへピクニックとキャンプに行く時、欠かせない道具であり、実用性に満ちる。従来のレジャーテーブルは主に収納可能な足枠とテーブル天板より組み立てられる。足枠を広げた後はテーブル天板の設置に用いられてテーブルに組み立てられる。またテーブル天板を足枠より取り外した後、足枠は組み立て状態より折り畳むことができて収納されるために体積を縮小でき、外へ持ち出すのに便利である。
【０００３】
従来のレジャーテーブルは折り畳むことができて体積が占める空間を縮小する機能があるが、テーブル天板と足枠の間の取り外しと組み立てはスピーディーで便利で、確実な効果が得られないため、構造を折り畳んで収納でき簡単にスピーディーに展開するなどの効果に欠ける。
従って、本考案者は長年にわたって関係商品の製造開発と設計をした経験により、上述の目標について、詳しく設計をして慎重に評価した結果、実用性に満ちた本考案を得た。
【考案の概要】
【考案が解決しようとする課題】
【０００４】
従来技術に存在する上述の欠点について解決し、折り畳みテーブル構造を提供する。
【課題を解決するための手段】
【０００５】
本考案の折り畳みテーブル構造は、テーブル天板と、二つの折り畳みフレームと、二つの支持ユニットとを含む。該テーブル天板は二つの互いに対称する長方形板体より構成され、二つの折り畳みフレームは二つの長方形板体を跨いで該テーブル天板の底面に設けられる。二つの折り畳みフレームは折り畳むことができてそれぞれ第一鉄片と第二鉄片がある。該第一鉄片の一側辺はＬ型の内折側板が設けられ、該内折側板の垂直面に位置限定長溝が設けられる。該内折側板に面する対角の頂端にＬ型の内当て板が設けられ、該内当て板に位置限定短溝が設けられて該位置限定長溝に面する。該第二鉄片の一側辺にＬ型の外折側板が設けられ、該外折側板は該内折側板が同じ側にあり、また該外折側板の垂直面にも位置限定長溝が設けられる。二つの支持ユニットはそれぞれ二つの折り畳みフレームの第一、第二鉄片の間に設けられ、またそれぞれ第一脚と第二脚があり、該第一、第二脚はすべて金属棒体を曲げてＵ型形状に形成され、また交差して枢接されて弾性がある山型体に構成される。各支持ユニットの頂端は該内当て板の位置限定短溝を通して位置限定され、該第一、第二脚はそれぞれ該内折側板と該外折側板の位置限定長溝に沿ってスライドして位置移動されることで、二つの支持ユニットは該折り畳みフレームが折り畳まれることによって圧縮して収納されるため、該テーブル天板の収納状態を果たす。該テーブル天板が展開される時、二つの支持ユニットは弾性圧縮によって弾けて、該折り畳みテーブルが地面について使用されることを提供する。
該テーブル天板の二つの長方形板体表面の外側はそれぞれ突起状の位置限定制限辺が設けられ、二つの長方形板体の底面はそれぞれ内側、外側に互いに相応する凸リブが設けられ、また各長方形板体の二つの凸リブが側辺に面してそれぞれ位置限定滑り溝が設けられ、該折り畳みフレームの第一、第二鉄片が位置限定して設けられることを提供する。
【０００６】
二つの折り畳みフレームの第一、第二鉄片はそれぞれ略直角三角形を呈し、また直角端の隅によって互いに枢接されて回転軸部に形成される。該第一鉄片は上述の直角端の水平辺に該内折側板が設けられ、また該第二鉄片は上述の直角端の水平辺に該外折側板が設けられ、該第一、第二鉄片の水平辺の遠い端にそれぞれ位置限定滑り辺が垂直に延伸して設けられる。
【０００７】
該第一鉄片の内当て板の頂端は該長方形板体を底面内側の凸リブに当て、また該内当て板は頂端よりもう一端に向かって斜め誘導辺が形成され、該第一鉄片の頂端が該内当て板の近くに位置限定板が設けられる。
【０００８】
該第一、第二鉄片はさらにリベットを利用して該テーブル天板の二つの長方形板体に鋲打ちして固定される。
該第一、第二脚はＵ型形状に呈してそれぞれ第一立て棒と第二立て棒がある。該第一、第二立て棒は同じ長さでもなく、同じ平面に位置するわけでもない。その中、該第一脚の第一立て棒は第二脚の第二立て棒と同じ長さであり、該第一脚の第二立て棒は第二脚の第一立て棒と同じ長さである。また上述の第一立て棒は第二立て棒に向かって組み合わせ接続棒が延伸され、第二立て棒は第一立て棒に向かって組み合わせスリーブが延伸されることで、該第一脚の第一立て棒は組み合わせ連接棒によって該第二脚にある第二立て棒の組み合わせスリーブに嵌めて設けられる。さらに該第二脚の第一立て棒は組み合わせ接続棒によって該第一脚にある第二立て棒の組み合わせスリーブに嵌めて設けられ、常態において山形の支持ユニットが形成され、内へ圧縮すると外へ弾ける変型弾性がある。
【０００９】
従来技術の効果に照らし合わせると、該折り畳みテーブルは使用後はテーブル天板を向かい合わせて折って収納できるため、構造の体積を大幅に減少できて、収納して持ち出すのに便利である。該折り畳みテーブルは二つの折り畳みフレームによって二つの支持ユニットを合わせて取り付けられる。二つの支持ユニットは第一、第二脚によって弾性がある山形体構造に組み立てられるため、テーブル天板が展開して使用される時、二つの支持ユニットはすぐに弾けて各折り畳みフレームに制限され、該支持ユニットを調整して位置決めする時間を節約でき、軽くて便利で省力という実用性を兼ねた上、テーブル天板を確実に支持して使用されることを実現でき、該構造の使用上の利便性が大幅に向上される。
【図面の簡単な説明】
【００１０】
【図１】図１は、本考案に係る折り畳みテーブル構造を示す立体図である。
【図２】図２は、本考案に係る折り畳みテーブル構造の別の視角の分解図である。
【図３】図３は、本考案に係る折り畳みテーブル構造を示す分解図である。
【図４】図４は、本考案の折り畳みフレームと支持ユニットの局部拡大分解図である。
【図５】図５は、本考案が連続に折り畳まれる動作を示す図(一）である。
【図６】図６は、本考案が連続に折り畳まれる動作を示す図(二）である。
【図７】図７は、本考案が連続に折り畳まれる動作を示す図(三）である。
【図８】図８は、本考案の折り畳まれる状態を示す図である。
【考案を実施するための形態】
【００１１】
まず、図１から図４を参照されたい。本考案の折り畳みテーブル構造は、テーブル天板１０と、二つの折り畳みフレーム２０と、二つの支持ユニット３０とを含む。該テーブル天板１０は二つの互いに対称するアルミ製の長方形板体１１より構成され、二つの長方形板体１１表面の外側はそれぞれ突起状の位置限定制限辺１２が設けられ、二つの長方形板体１１の底面はそれぞれ内側、外側に互いに相応する凸リブ１３が設けられ、また各長方形板体１１の二つの凸リブ１３が側辺に面してそれぞれ位置限定滑り溝１３１が設けられ、二つの折り畳みフレーム２０は二つの長方形板体１１を跨いで該テーブル天板１０の底面に設けられ、また折り畳むことができてそれぞれ第一鉄片２１と第二鉄片２２がある。該第一、第二鉄片２１、２２はそれぞれ略直角三角形を呈し、また直角端の隅によって互いに枢接されて回転軸部２３に形成される。該第一鉄片２１は上述直角端の水平辺にＬ型の内折側板２１１が設けられ、該内折側板２１１の垂直面に位置限定長溝２１２が設けられる。該第二鉄片２２は上述直角端の水平辺にＬ型の外折側板２２１が設けられ、該外折側板２２１は該内折側板２１１が同じ側にあり、また該外折側板２２１の垂直面にも位置限定長溝２２２が設けられる。該第一、第二鉄片２１、２２の水平辺の遠い端にそれぞれ位置限定滑り辺２１３、２２３が垂直に延伸して設けられ、また該第一鉄片２１が該内折側板２１１に面する対角の頂端にＬ型の内当て板２１４が設けられ、該内当て板２１４に位置限定短溝２１５が設けられて該位置限定長溝２１２に面して、また該内当て板２１４の頂端２１６は該長方形板体１１を底面内側の凸リブ１３に当て、また該内当て板２１４は頂端２１６よりもう一端に向かって斜め誘導辺２１７が形成され、該第一鉄片２１の頂端が該内当て板２１４の近くに位置限定板２１８が設けられる。二つの支持ユニット３０はそれぞれ二つの折り畳みフレーム２０の第一、第二鉄片２１、２２の間に設けられ、またそれぞれ第一脚３１と第二脚３２があり、該第一、第二脚３１、３２はすべて金属棒体を曲げてＵ型形状に形成されて第一立て棒３１１、３２１と第二立て棒３１２、３２２がある。該第一立て棒３１１、３２１と第二立て棒３１２、３２２は同じ長さでもなく、同じ平面に位置するでもない。その中、該第一脚３１の第一立て棒３１１は第二脚３２の第二立て棒３２２と同じ長さであり、該第一脚３１の第二立て棒３１２は第二脚３２の第一立て棒３２１と同じ長さである。また上述の第一立て棒３１１、３２１は第二立て棒３１２、３２２に向かって組み合わせ接続棒３１３、３２３が延伸され、第二立て棒３１２、３２２は第一立て棒３１１、３２１に向かって組み合わせスリーブ３１４、３２４が延伸されることで、該第一脚３１の第一立て棒３１１は組み合わせ連接棒３１３によって該第二脚３２にある第二立て棒３２２の組み合わせスリーブ３２４に嵌めて設けられる。さらに該第二脚３２の第一立て棒３２１は組み合わせ接続棒３２３によって該第一脚３１にある第二立て棒３１２の組み合わせスリーブ３１４に嵌めて設けられ、常態において山形の支持ユニットが形成され、内へ圧縮すると外へ弾ける変型弾性がある。
【００１２】
その構造の組み立ては、引き続き図２から図４を参照されたい。二つの折り畳みフレーム２０の第一、第二鉄片２１、２２は互いに枢接されて回転軸部２３に形成され、さらに該第一、第二鉄片２１、２２をそれぞれ二つの長方形板体１１の底側に設ける。該折り畳みフレーム２０を取り付ける時、該内当て板２１４を内側へ向け、また該第一、第二鉄片２１、２２を各長方形板体１１をスライドして設け、二つの凸リブ１３の位置限定滑り溝１３１内に位置決めされ、さらにリベット２４によって鋲打ちして固定されることで、二つの折り畳みフレーム２０をテーブル天板１０の底側の両端に取り付けられ、二つの支持ユニット３０の取り付けを提供する。各支持ユニット３０を取り付ける時、先に第一脚３１の第二立て棒３１２を順番に第一鉄片２１の位置限定長溝２１２と位置限定短溝２１５に通し、また該第二立て棒３１２の組み合わせスリーブ３１４を位置限定短溝２１５の外に突設し、さらに該第二脚３２の第二立て棒３２２を該第二鉄片２２の位置限定長溝２２２に通し、該第二立て棒３２２の組み合わせスリーブ３２４を位置限定長溝２２２に通した後は上へひっくり返して該第一脚３１が第一立て棒３１１の組み合わせ接続棒３１３と接続連結し、最後は該第二脚３２にある第一立て棒３２１の組み合わせ接続棒３２３を第一脚３１にある第二立て棒３１２の組み合わせスリーブ３１４と接続連結することで、各折り畳みフレーム２０の第一、第二脚３１、３２が交差して枢接されて各折り畳みフレーム２０に弾性がある山型体に構成される。また各支持ユニット３０の頂端は該内当て板２１４の位置限定短溝２１５を通して位置限定され、該第一、第二脚３１、３２の第二立て棒３１２、３２２はそれぞれ該内折側板２１１と該外折側板２２１の位置限定長溝２１２、２２２に沿ってスライドして位置移動されることで、二つの支持ユニット３０は該折り畳みフレーム２０が折り畳まれることによって圧縮して収納されるため、該テーブル天板１０の収納状態を果たす。該テーブル天板１０が展開される時、二つの支持ユニット３０は弾性圧縮によって弾けて、該折り畳みテーブルが地面について使用されることを実現する。
【００１３】
構造における実際の使用状態は、図１と図２を参照されたい。該テーブル天板１０が展開して使用される時、二つの支持ユニット３０の頂端は各内当て板２１４の頂端２１６とその中の長方形板体内側の凸リブ１３の間に当てて、該第一、第二脚３１、３２の第二立て棒３１２、３２２は各位置限定長溝２１２、２２２に沿って最も外側にスライドして制限されることで、二つの支持ユニット３０は各折り畳みフレーム２０の第一、第二鉄片２１、２２の間に山型体が形成され、該第一、第二脚３１、３２の第二立て棒３１２、３２２によってテーブル天板１０の底側に当てて、該第一、第二脚３１、３２の第一立て棒３１１、３２１の末端には四隅端が形成され、紙面に置くことが合わせられるため、テーブル天板１０が展開後に平面状に形成され、物を置くことが実現される。
【００１４】
該折り畳みテーブルが使用後に収納したい時は引き続き図５から図８を参照されたい。該テーブル天板１０の二つの長方形位体１１を先に向かい合わせて折って、該折り畳みフレーム２０を連動して向かい合わせて折ることで、二つの支持ユニット３０は第一、第二脚３１、３２によって互いに接続する組み合わせ接続棒３１３、３２３、組み合わせスリーブ３１４、３２４を軸心にして内側へ回転作動すると、二つの支持ユニット３０は押さえられて重ね合わせて隅端をテーブル天板１０の外に突設される。二つの支持ユニット３０を第二立て棒３１２、３２２によって各位置限定長溝２１２、２２２に沿って下へ捻って回転することで、二つの支持ユニット３０を二つの長方形板体１１の凸リブ１３の間より離脱し、同時に二つの長方形板体１１の外側辺はさらにぴったり当て、最後に二つの支持ユニット３０を該テーブル天板１０の外側に突設されてテーブル天板１０の内側へ押すことで、二つの支持ユニット３０を完全に該テーブル天板１０内に収納され、該折り畳みテーブルの折り畳み状態が形成されると、該折り畳みテーブルはテーブル天板１０の半分の大きさに形成され、該折り畳みテーブルの体積を確実に縮小でき、また収納袋の包装制限によって、折り畳みテーブルが広がることが避けられ、収納して持ち出すのに便利で、構造的に使用上の利便性が向上される。
【００１５】
上述の具体的な実施例の構造によって、以下の効果が得られる。該折り畳みテーブルは使用後はテーブル天板１０を向かい合わせて折って収納できるため、構造の体積を大幅に減少できて、収納して持ち出すのに便利である。該折り畳みテーブルは二つの折り畳みフレーム２０によって二つの支持ユニット３０を合わせて取り付けられる。二つの支持ユニット３０は第一、第二脚３１、３２によって弾性がある山形体構造に組み立てられるため、テーブル天板１０が展開して使用される時、二つの支持ユニット３０はすぐに弾けて各折り畳みフレーム２０に制限され、該支持ユニット３０を調整して位置決めする時間を節約でき、軽くて便利で省力という実用性を兼ねた上、テーブル天板１０を確実に支持して使用されることを提供でき、該構造の使用利便性が大幅に向上される。
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００１６】
１０        テーブル天板
１１        長方形板体
１２        位置限定制限辺
１３        凸リブ
１３１      位置限定滑り溝
２０        折り畳みフレーム
２１        第一鉄片
２１１      内折側板
２１２      位置限定長溝
２１３      位置限定滑り辺
２１４      内当て板
２１５      位置限定短溝
２１６      頂端
２１７      斜め誘導辺
２１８      位置限定板
２２        第二鉄片
２２１      外折側板
２２２      位置限定長溝
２２３      位置限定滑り辺
２３        回転軸部
２４        リベット
３０        支持ユニット
３１        第一脚
３１１      第一立て棒
３１２      第二立て棒
３１３      組み合わせ接続棒
３１４      組み合わせスリーブ
３２        第二脚
３２１      第一立て棒
３２２      第二立て棒
３２３      組み合わせ接続棒
３２４      組み合わせスリーブ
【図１】
0003221153.tif 000003
【図２】
0003221153.tif 000004
【図３】
0003221153.tif 000005
【図４】
0003221153.tif 000006
【図５】
0003221153.tif 000007
【図６】
0003221153.tif 000008
【図７】
0003221153.tif 000009
【図８】
0003221153.tif 000010